(57)【要約】【課題】空気吹出口の正面形状を非長方形で異形とする薄型のレジスタにおいて、前フィンを振ったときの風の指向性を向上させることができるレジスタを提供する。【解決手段】空気吹出口１５の内側前部に前可動ルーバ３が配設される。前可動ルーバ３には１枚の前フィン７が空気吹出口１５内側の略中央に空気吹出口の長手方向に沿って、支軸により回動可能に支持される。前フィン７の長手方向に沿った空気吹出口１５の縁部が曲線で形成される。前フィン７の少なくとも一方の側部に隣接して第１補助フィン８と第２補助フィン９が曲線の接線方向と略平行に配置される。第１補助フィン８と第２補助フィン９の支軸は前フィン７の支軸とは傾斜して支持され、各々の補助フィンは前フィンと同期して回動するように各リンクバー１８，１９により前フィン７と連結される。【選択図】図１
2014133490.tif 000002
【特許請求の範囲】
【請求項１】
空気吹出口の正面形状が細長の非長方形で異形に形成されてなる薄型のレジスタにおいて、
該空気吹出口の内側前部に前可動ルーバが配設され、該前可動ルーバには１枚の前フィンが、該空気吹出口内側の略中央に該空気吹出口の長手方向に沿って、支軸により回動可能に支持され、
該前フィンの長手方向に沿った該空気吹出口の縁部が曲線で形成され、該前フィンの少なくとも一方の側部に隣接して複数の補助フィンが該曲線の接線方向と略平行に且つ該空気吹出口の縁部の内側に隠れて配置され、
該補助フィンの支軸は該前フィンの支軸に対し傾斜して支持され、各々の該補助フィンが該前フィンと同期して回動するように各リンクバーにより該前フィンと該各補助フィンが連結されたことを特徴とするレジスタ。
【請求項２】
前記空気吹出口の正面形状は上下縦方向に長く左右横方向に短い縦長の楕円形状に形成され、且つ該正面形状の一側部が下流側に突出し他側部が上流側に後退するように該空気吹出口の正面形状が傾斜して形成され、前記前可動ルーバの前フィンは該空気吹出口の略中央縦方向に配置され、前記複数の補助フィンは、該空気吹出口の該突出側の縁部内側に設けた補助通路内に支軸を介して軸支されたことを特徴とする請求項１記載のレジスタ。
【請求項３】
前記補助通路は前記通風路内の側部に補助フィン用の凹部として各々形成され、前記複数の補助フィンは該各補助通路内に収容され、該補助フィンの支軸が該補助通路の壁部に軸支されたことを特徴とする請求項２記載のレジスタ。
【請求項４】
前記複数の補助フィンとして、第１補助フィンと第２補助フィンが、前記空気吹出口の突出側の縁部内側に、該空気吹出口の長手方向に沿って配設され、前記通風路の側部には、第１補助通路と第２補助通路が、該空気吹出口の長手方向に沿って且つ該空気吹出口の縁部の曲線の接線方向と略平行に形成され、該第１補助フィンが該第１補助通路内で支軸を介して軸支され、該第２補助フィンが該第２補助通路内で支軸を介して軸支されたことを特徴とする請求項３記載のレジスタ。
【請求項５】
前記前可動ルーバの上流側には、前記前フィンと直交する複数の後フィンを並設した後可動ルーバが回動可能に配設されることを特徴とする請求項１記載のレジスタ。
【発明の詳細な説明】
【技術分野】
【０００１】
本発明は、自動車等の空調装置に使用される空気吹出調整用のレジスタに関し、特に空気吹出口が細長・薄型で略楕円形など非長方形の異形に形成されたレジスタに関する。
【背景技術】
【０００２】
自動車等の空調の空気吹出口に使用される空気吹出調整用のレジスタとして、通風路を形成するベゼルまたはリテーナ内に、前可動ルーバと後可動ルーバを直交方向に前後して配設し、ベゼルに設けた空気吹出口から空気を吹き出す際、前可動ルーバ、後可動ルーバの各フィンの角度を変えて空気の吹出し方向を上下左右に調整するレジスタが、一般に、自動車の空調装置などで使用されている。
【０００３】
このようなレジスタにおいて、主として意匠性やデザイン的なデマンドから、空気吹出口が細長で薄型に形成され、空気吹出口の内側に１〜３枚程度の少数の前フィンを設けたレジスタが、自動車の室内に設置される場合がある（例えば特許文献１等参照）。
【先行技術文献】
【特許文献】
【０００４】
【特許文献１】特開２００２−１０３９５４号公報
【発明の概要】
【発明が解決しようとする課題】
【０００５】
また、この種の薄型レジスタとして、レジスタが装着されるインストルメントパネルの全体的なデザイン性から、細長の空気吹出口の略中央に、前可動ルーバとして１枚の前フィンのみを回動可能に配置し、空気吹出口の正面形状を、非長方形状の例えば楕円としたレジスタが開発されている。
【０００６】
しかし、空気吹出口の正面形状が長方形とは異なる楕円等の異形形状に形成されている場合、１枚の前フィンを空気吹出口の楕円の長手方向に沿った中央に配置したのみでは、空気吹出口の短手方向の幅寸法が長手方向に沿って相違するため、前フィンを振った際、風の指向性を良好に確保することが難しく、希望する方向に送風を行ないにくい。
【０００７】
このため、補助フィンを前フィンの側部に配設し、前フィンと補助フィンを送風方向に回動させて指向性を改善することが検討されたが、空気吹出口の形状が非長方形の略楕円形状であるため、１枚の平坦な補助フィンでは、前フィンの回動方向（振り方向）に風を効率良くガイドすることが難しく、風の指向性が悪いという課題があった。
【０００８】
本発明は、上述の課題を解決するものであり、空気吹出口の正面形状を非長方形で異形とする薄型のレジスタにおいて、前フィンを振ったときの風の指向性を向上させることができるレジスタを提供することを目的とする。
【課題を解決するための手段】
【０００９】
本発明に係るレジスタは、空気吹出口の正面形状が細長の非長方形で異形に形成されてなる薄型のレジスタにおいて、該空気吹出口の内側前部に前可動ルーバが配設され、該前可動ルーバには１枚の前フィンが該空気吹出口内側の略中央に該空気吹出口の長手方向に沿って、支軸により回動可能に支持され、該前フィンの長手方向に沿った該空気吹出口の縁部が曲線で形成され、該前フィンの少なくとも一方の側部に隣接して複数の補助フィンが該曲線の接線方向と略平行に且つ空気吹出口の側縁部の内側に隠れて配置され、該補助フィンの支軸は該前フィンの支軸に対し傾斜して支持され、各々の該補助フィンが該前フィンと同期して回動するように各リンクバーにより該前フィンと該各々の補助フィンが連結されたことを特徴とする。
【００１０】
この発明のレジスタによれば、空気吹出口の正面形状が例えば楕円のような異形形状で、且つその中央長手方向に１枚の前フィンが配置されてなるレジスタであっても、空気吹出口の縁部の曲線の接線方向と略平行に複数の補助フィンが前フィンと隣接して且つ内側に隠れて配置され、各補助フィンは、その支軸が前フィンの支軸とは傾斜して軸支され、各々の補助フィンが前フィンと同期して回動するように各リンクバーにより前フィンと連結されため、前可動ルーバを振ったとき、前フィンと空気吹出口の曲線縁部に沿った複数の補助フィンが、前フィンとともに同方向に回動し、これにより、非長方形で異形の空気吹出口であっても、送風時の風の指向性を向上させることができる。また、補助フィンは空気吹出口の縁部内側に隠れるため、レジスタの良好なデザイン性を確保することができる。
【００１１】
ここで、上記レジスタにおいて、上記空気吹出口の正面形状は上下縦方向に長く左右横方向に短い縦長の楕円形状に形成され、且つ該正面形状の一側部が下流側に突出し他側部が上流側に後退するように該空気吹出口の正面形状が傾斜して形成され、上記前可動ルーバの前フィンは該空気吹出口の略中央縦方向に配置されて構成することができる。
【００１２】
さらに、上記レジスタにおいて、通風路内の側部に補助通路が補助フィン用の凹部として形成され、上記複数の補助フィンは該補助通路内に収容するように構成することができる。さらに、該補助通路は、空気吹出口の突出側の縁部内側の通風路の側部に配され、上記複数の補助フィンは該補助通路の壁部に軸支される構成とすることができる。
【００１３】
これによれば、空気吹出口の正面が短手方向（左右横方向）に傾斜している場合、前可動ルーバを空気吹出口の左右横方向の後退側に振ったとき、空気吹出口の突出側から送風の外側を流れる空気流が通風路の補助通路を円滑に通り抜け、補助フィンによって前可動ルーバの振り方向に良好にガイドされるため、送風時の風の指向性を向上させることができる。
【００１４】
さらに、上記レジスタにおいては、上記複数の補助フィンとして、第１補助フィンと第２補助フィンを、上記空気吹出口の突出側の縁部内側に、該空気吹出口の長手方向に沿って配するように構成することができる。また、通風路の側部には、第１補助通路と第２補助通路を、空気吹出口の長手方向に沿って且つ該空気吹出口の縁部の曲線の接線方向と略平行に形成し、上記第１補助フィンを第１補助通路に、第２補助フィンを第２補助通路に各々軸支するように構成することができる。これによれば、空気吹出口の突出側から送風の外側を流れる空気流が通風路の第１補助通路と第２補助通路を円滑に通り抜け、第１補助フィン及び第２補助フィンによって前可動ルーバの振り方向に良好にガイドされるため、送風時の風の指向性をさらに向上させることができる。
【００１５】
また、上記レジスタにおいて、前可動ルーバの上流側には、上記前フィンと直交する方向に複数の後フィンを並設した後可動ルーバを回動可能に配設することができる。
【発明の効果】
【００１６】
本発明のレジスタによれば、空気吹出口の正面形状が非長方形で異形とされる薄型のレジスタであっても、前フィンを振ったときの風の指向性を大きく向上させることができる。
【図面の簡単な説明】
【００１７】
【図１】本発明のレジスタの正面図である。
【図２】図１のII-II断面図である。
【図３】図１のIII-III断面図である。
【図４】図２のIV-IV断面図である。
【図５】リテーナ内の通風路の内側を示す部分斜視図である。
【図６】前フィンと補助フィンをリンクするリンクバーの断面図である。
【図７】前可動ルーバを振ったときの送風状態を示す図２に対応した断面図である。
【発明を実施するための形態】
【００１８】
以下、本発明の一実施形態を図面に基づいて説明する。このレジスタは、内部に通風路５を形成したリテーナ２の前面にベゼル１を設けて構成され、ベゼル１には、図１に示す如く、縦長で略楕円形状の空気吹出口１５が形成される。レジスタは、全体として縦に細長く左右幅方向に短い形状の所謂縦長薄型のレジスタとして構成され、空気吹出口１５の直ぐ内側には、前可動ルーバ３が縦方向に配設され、前可動ルーバ３の上流側に後可動ルーバ４が前可動ルーバ３と直交する方向つまり水平横方向に配設される。
【００１９】
図４，５に示すように、リテーナ２は、その横断面を縦長で略楕円形状とするダクト状に形成され、内部に通風路５が形成され、ベゼル１は、リテーナ２の前部に図示しない嵌合部が設けられ、その嵌合部に嵌着される。ベゼル１の正面に形成される空気吹出口１５は、図１に示すように、縦に細長い略楕円形状であって、左右の縁部に円弧状曲線部を有し、上部と下部に平坦部を設けて形成され、長手方向（上下縦方向）に長く短手方向（左右横方向）に短い縦長形状に形成されている。縦長楕円形状の空気吹出口１５は、必然的に、その左右の幅が中央で最も長く、上下端部で最小となっており、空気吹出口１５の左右縁部における円弧状曲線部の上部と下部の接線方向は相違する。
【００２０】
また、空気吹出口１５の正面は、図２に示すように、その左側部を上流側に後退させ右側部を下流側に突き出すように傾斜して形成される。つまり、空気吹出口１５の前面は、図２の如く、その短手方向の垂直面に対し斜め左側に約１５度の角度で傾斜し、左側に傾斜する形状となっている。
【００２１】
通風路５内の下流側つまり空気吹出口１５の直ぐ内側に、１枚の前フィン７を有した前可動ルーバ３が縦方向に配設される。リテーナ２の上下壁には、図５に示すように、前フィン７用の軸受部３ａが形成され、上下両側の軸受部３ａには、前フィン７の上下端部に突出した支軸７ａが嵌入・支持される。前可動ルーバ３の前フィン７は、図１，４に示すように、空気吹出口１５の略中央に長手方向（縦方向）に沿って配設される。図２のように前フィン７の支軸７ａはフィン本体の下流側に位置し、前フィン７は、支軸７ａを軸に、回動時そのフィン本体の上流側を左右に振るように回動する。
【００２２】
リテーナ２は、図５に示すように、横断面を縦に長い略楕円形とするダクト状に形成され、その横断面は空気吹出口１５の略楕円形状と同様に形成される。リテーナ２内の通風路５の側部には、図４，５に示すように、通風路を右側に拡張するように、第１補助通路５ａと第２補助通路５ｂが凹部として形成されている。第１補助通路５ａと第２補助通路５ｂはリテーナ２の右壁部を拡張するように形成され、通風路５の横断面の側縁部は略楕円曲線であるため、図４、５のように、第１補助通路５ａと第２補助通路５ｂの横断面は垂直線に対し相互に傾斜して形成される。つまり、通風路５の横断面形状が縦長の略楕円形状であり、その左右の幅が略中央で最大となり、上下端部で最小となるため、第１補助通路５ａと第２補助通路５ｂは垂直線に対しその上部または下部を縮小するように相互に傾斜する。
【００２３】
このようなリテーナ２の右側壁部に設けた第１補助通路５ａ、第２補助通路５ｂには、第１補助フィン８、第２補助フィン９が各々縦方向に配され、各補助フィンの軸受部が補助通風路の上下の壁部に形成される。第１補助フィン８、第２補助フィン９は、図１に示す如く、空気吹出口１５の側縁部の円弧状曲線の接線と略平行に配設され、第１補助通路５ａ内に第１補助フィン８が縦方向に軸支され、第２補助通路５ｂ内に第２補助フィン９が縦方向に軸支される。
【００２４】
第１補助フィン８はその上端部と下端部に支軸８ａが突設され、上下の支軸８ａは第１補助通路５ａの上部と下部の軸受部に嵌合され軸支される。第２補助フィン９はその上端部と下端部に支軸９ａが突設され、上下の支軸９ａは第２補助通路５ｂの上部と下部の軸受部に嵌合され軸支される。
【００２５】
これにより、第１補助フィン８と第２補助フィン９は、空気吹出口１５の側縁部の円弧状曲線の接線と略平行に配設され、且つ空気吹出口１５の側縁部の内側に配され、さらに図１のように、ベゼル１の正面視では、第１補助フィン８と第２補助フィン９は空気吹出口１５の側縁部の内側に隠れ、前フィン７のみが視認され、レジスタのすっきりしたデザイン性を向上させている。なお、第１補助フィン８、第２補助フィン９を軸支する軸受部は、図４，５に示すように、軸受孔としてリテーナ２の壁部に設けられているが、別部材を取り付けて構成することもできる。
【００２６】
第１補助フィン８の支軸８ａは図２の如く前フィン７と同様に、フィン本体の下流側端部に位置し、第２補助フィン９の支軸９ａも図２のようにフィン本体の下流側端部に位置し、これにより、第１補助フィン８と第２補助フィン９は回動時、前フィン７と同様にそのフィン本体の上流側を振るように回動する。また、第１補助フィン８と第２補助フィン９は前フィン７と同期して同方向に回動するように、第１補助フィン８の上部上流側に連結軸８ｂが突設され、前フィン７の連結軸７ｂと第１補助フィン８の連結軸８ｂとは、リンクバー１８を介してリンクされる。同様に、第２補助フィン９の下部上流側に連結軸９ｂが突設され、前フィン７の連結軸７ｃと第２補助フィン９の連結軸９ｂとは、リンクバー１９を介してリンクされる。
【００２７】
つまり、図１、４示すように、空気吹出口１５は縦長の略楕円形状であるため、空気吹出口１５の右側縁部の上側接線と下側接線とは、左右方向に相違する方向に傾斜し、第１補助フィン８は空気吹出口１５の右側縁部の上側接線と略平行に配設され、第２補助フィン９はその下側接線と略平行に配設される。これにより、第１補助フィン８と第２補助フィン９は、中央の前フィン７を振ったとき、前フィン７と略同じ方向に振れ、前フィン７の補助フィンとして同様に機能するようになっている。
【００２８】
図４，５に示すように、第１補助フィン８、第２補助フィン９は、前フィン７に対し傾斜して配設されるため、それらを相互にリンクするリンクバー１８，１９と連結軸７ｂ、８ｂ、９ｂとの連結状態は傾斜することになるが、図６に示すように、リンクバー１８，１９に設けた軸孔が多少大径に形成され、連結軸７ｂ、８ｂ、９ｂを傾斜可能に嵌合させているため、不具合なく連結し、回動することができる。
【００２９】
なお、第１補助フィン８は第２補助フィン９より長く形成されるが、これは空気吹出口１５の横幅の最大位置が中央下寄りに位置し、空気吹出口１５の右側縁部の上側接線が下側接線より長いためであり、空気吹出口１５の横幅の最大位置が中央上寄りであれば、空気吹出口１５の右側縁部の上側接線が下側接線より短くなり、第１補助フィン８は第２補助フィン９より短くなる。
【００３０】
また、上記リンクバー１８，１９はフィン本体の偏移位置に設けた連結軸間を連結したが、支軸７ａ、８ａ，９ａにクランク部を設け、クランク部間をリンクバーによりリンクするようにしてもよい。
【００３１】
通風路５内の前可動ルーバ３の後方つまり上流側に後可動ルーバ４が配設される。後可動ルーバ４は、図１，２に示すように、前可動ルーバ３の前フィン７とは直交する水平横方向の後フィン１４を有し、複数の後フィン１４が上下（縦）に間隔をおいて配置される。各後フィン１４の両端部に支軸１４ａが突設され、各後フィン１４の支軸１４ａはリテーナ２の側壁部に設けた軸受部に軸支され、上下に回動可能となっている。また、図２，３に示すように、各後フィン１４は、その端部に設けた連結軸１４ｂが１本のリンクバー１７によりリンクされ、全ての後フィン１４が同期して同じ方向に回動するようになっている。各後フィン１４を連結するリンクバーは、各支軸１４ａに設けたクランク部間をリンクして、各後フィン１４を同期回動させるようにしてもよい。後可動ルーバ４の後フィン１４は後述の操作ノブ６の上下摺動操作により、図３のように、上下に振るように回動する。
【００３２】
操作ノブ６は、前可動ルーバ３の前フィン７に、上下摺動可能に外嵌される。操作ノブ１６を把持して左右に振ると、前フィン７が左右方向に回動し、それに同期して第１補助フィン８、第２補助フィン９が左右方向に回動する。一方、操作ノブ６を上下方向に摺動させると、図３のように後可動ルーバ４の各後フィン１４が上下に回動し、風向を上下に変えるように動作する。このために、図２，３に示す如く、連係部として操作ノブ６の後部（上流側）にラック部６ａが設けられ、後可動ルーバ４の中央の後フィン１４に扇状の歯車部６ｂが設けられ、ラック部６ａと歯車部６ｂが噛合する。
【００３３】
これにより、操作ノブ６を上下にスライド操作したとき、ラック部６ａ、歯車部６ｂを介して後フィン１４が上下に回動し、操作ノブ６を持って前フィン７を左右に回動操作したとき、前フィン７が左右に回動するとともに、第１補助フィン８と第２補助フィン９が前フィン７と同じ方向に回動する。
【００３４】
すなわち、図２に示すように、後可動ルーバ４の各後フィン１４の支軸１４ａは、リテーナ２の側壁に設けた軸受部に嵌合され、上下に回動可能に軸支され、さらに、各後フィン１４のフィン本体の端部に、連結軸１４ｂが設けられ、１本のリンクバー１７がこれらの後フィン１４の連結軸１４ｂに連結される。このため、操作ノブ６を上下に摺動操作したとき、各後フィン１４が同期して上または下に回動し、風向を上下に調整するようになっている。また、操作ノブ６を持って前フィン７を左右に回動操作したとき、前フィン７が左右に回動するとともに、リンクバー１８，１９によりリンクされる第１補助フィン８と第２補助フィン９が、前フィン７と同じ方向に回動する。
【００３５】
次に、上記構成のレジスタの動作を、図７などに基づいて説明する。レジスタは、自動車の車内のインストルメントパネルやダッシュボードの部分に、背面側の通風路の空気導入口を図示しない通風ダクトに接続して装着される。この例で図示するレジスタの空気吹出口１５は、図２に示すように、ベゼル１の空気吹出口１５の正面が、その右側部分を前面に突き出し、その左側部分を後退させるように、傾斜しているため、乗員の右側に（乗員側から向かって右側に）レジスタを配置する。
【００３６】
これにより、レジスタの空気吹出口１５が乗員側を向き、また、レジスタの意匠を、インストルメントパネルまたはダッシュボードの傾斜形状に、デザイン的に合わせることができる。さらに、このレジスタは、空気吹出口１５が縦に細長く、空気吹出口１５内の前可動ルーバ３が１枚の前フィン７を略中央に配置して、シンプルにデザインされ、レジスタ前面の意匠を斬新な意匠とすることができる。
【００３７】
レジスタの正面に真直ぐ送風を行なう場合、図２のように、前可動ルーバ３の前フィン７は真直ぐ前方を向く状態とする。この状態では、第１補助フィン８と第２補助フィン９は前フィン７と同様に（平行に）真直ぐ正面を向く。したがって、通風路５を流れる空気流は、第１補助フィン８と第２補助フィン９による空気抵抗を殆ど受けることなく、少ない圧力損失で、前可動ルーバ３の前フィン７の向く正面方向に良好に送風される。
【００３８】
一方、操作ノブ１６を持って、図７のように、前可動ルーバ３の前フィン７を左に回動させると、第１補助フィン８と第２補助フィン９が前フィン７と同様に、その上流側端部を右側に振るように回動する。
【００３９】
これにより、通風路５から空気吹出口１５に流れる空気流は、図７に示すように、前フィン７の向く左側に曲げられ、特に、空気吹出口１５の右側が突出形状となり、右側の通風路がより長くなっているが、通風路５の右側を流れる空気流は第１補助フィン８と第２補助フィン９によって前フィン７の向く左側に良好にガイドされ、前フィン７の向く左側に向けて送風される。上述のように、このレジスタは、その空気吹出口１５の正面形状が向かって左に傾斜し、主に左側の乗員に向けて送風を行うように使用されるところ、空気吹出口１５内の右側に位置する第１補助フィン８と第２補助フィン９によって、前フィン７の向く左側つまり乗員に向けて良好に送風を行うことができる。
【００４０】
また、この状態で、図３に示すように、操作ノブ６を上または下に摺動操作すると、ラック部６ａ、歯車部６ｂを介して後可動ルーバ４の各後フィン１４が上側にまたは下側に回動し、送風方向を上側にまたは下側に変えることができる。
【００４１】
このように、空気吹出口１５の正面形状が楕円のような異形形状で、且つその中央長手方向に１枚の前フィン７が配置されてなるレジスタであっても、空気吹出口１５の縁部の曲線の接線方向と略平行に第１補助フィン８、第２補助フィン９が前フィン７と隣接して且つ内側に隠れて配置され、第１補助フィン８、第２補助フィン９は、その支軸８ａ，９ａが前フィン７の支軸７ａとは傾斜して軸支され、且つ第１補助フィン８、第２補助フィン９が前フィン７と同期して回動するように各リンクバー１８，１９により前フィン７と連結されため、前可動ルーバ３を振ったとき、前フィン７と空気吹出口１５の曲線縁部に沿った第１補助フィン８、第２補助フィン９が、前フィン７とともに同方向に回動し、これにより、非長方形で異形の空気吹出口であっても、送風時の風の指向性を向上させることができる。また、第１補助フィン８、第２補助フィン９は空気吹出口１５の縁部内側に隠れるため、レジスタの良好なデザイン性を確保することができる。
【００４２】
なお、上記レジスタの空気吹出口１５は略楕円形状となっているため、第１補助フィン８と第２補助フィン９の２枚の補助フィンを、前フィン７と同じ縦方向に沿って配置したが、空気吹出口の楕円以外の異形形状によっては、３枚以上の補助フィンを設けることもできる。また、複数の補助フィンは上記実施形態とは反対側に、つまり空気吹出口内の左側に配置することもできる。
【００４３】
また、上記実施形態では、レジスタ正面に向かって前フィン７の右側、つまり空気吹出口１５の正面を突き出す側に、第１補助フィン８、第２補助フィン９を配置したが、それとは反対に、空気吹出口１５の正面左側の後退させた側に補助フィンを配置することもできる。
【００４４】
さらに、上記実施形態のレジスタの空気吹出口１５の正面形状は、右側部を下流側に突き出し、左側部を上流側に後退させるように傾斜する形状としたが、それとは反対に、空気吹出口の正面左側部を下流側に突き出し、正面右側部を上流側に後退させる形状であってもよいし、或いは空気吹出口の正面形状を傾斜しない垂直面とすることもできる。また、上記空気吹出口１５の形状を縦長の略楕円形状としたが、横長の略楕円形状、或いは楕円以外の異形形状とすることもできる。
【符号の説明】
【００４５】
１      ベゼル
２      リテーナ
３      前可動ルーバ
３ａ    軸受部
４      後可動ルーバ
５      通風路
５ａ    第１補助通路
５ｂ    第２補助通路
６      操作ノブ
６ａ    ラック部
６ｂ    歯車部
７      前フィン
７ａ    支軸
７ｂ    連結軸
７ｃ    連結軸
８      第１補助フィン
８ａ    支軸
８ｂ    連結軸
９      第２補助フィン
９ａ    支軸
９ｂ    連結軸
１４    後フィン
１４ａ  支軸
１４ｂ  連結軸
１５    空気吹出口
１６    操作ノブ
１７    リンクバー
１８    リンクバー
１９    リンクバー
【図１】
2014133490.tif 000003
【図２】
2014133490.tif 000004
【図３】
2014133490.tif 000005
【図４】
2014133490.tif 000006
【図５】
2014133490.tif 000007
【図６】
2014133490.tif 000008
【図７】
2014133490.tif 000009